(57)【要約】      （修正有）【課題】環境配慮および食糧問題の観点から、非食用天然物を用いた誘導体からなる新規な熱媒体油を提供する。【解決手段】ロジン類と炭素数１〜１０の一価アルコール類からなる液状ロジンエステル類のうちの少なくとも１種を含有することを特徴とする熱媒体油。前記ロジン類が、精製ロジン、不均化ロジンおよび水素化ロジンからなる群より選ばれる少なくとも１種であり、前記アルコール類が、メタノール、エタノール、ｎ−プロパノール、イソプロパノール、ｎ−ブタノール、イソブタノール、ｓｅｃ−ブタノールおよびｔｅｒｔ−ブタノールからなる群より選ばれる少なくとも１種である熱媒体油。前記ロジンエステル類が、酸価が２．０ｍｇＫＯＨ／ｇ以下、４０℃における粘度が２０００ｍＰａ・ｓ以下、沸点が３００℃以上、引火点が１５０℃以上、及び１５０℃における熱伝導率が０．１１Ｗ／ｍ・Ｋ以上のものである熱媒体油。【選択図】なし【特許請求の範囲】
【請求項１】
ロジン類と炭素数１〜１０の一価アルコール類からなる液状ロジンエステル類のうちの少なくとも１種を含有することを特徴とする熱媒体油。
【請求項２】
前記ロジン類が、精製ロジン、不均化ロジンおよび水素化ロジンからなる群より選ばれる少なくとも１種である請求項１記載の熱媒体油。
【請求項３】
前記アルコール類が、メタノール、エタノール、ｎ−プロパノール、イソプロパノール、ｎ−ブタノール、イソブタノール、ｓｅｃ−ブタノールおよびｔｅｒｔ−ブタノールからなる群より選ばれる少なくとも１種である請求項１または２に記載の熱媒体油。
【請求項４】
前記ロジンエステル類が、酸価が２．０ｍｇＫＯＨ／ｇ以下、４０℃における粘度が２０００ｍＰａ・ｓ以下、沸点が３００℃以上、引火点が１５０℃以上、および１５０℃における熱伝導率が０．１１Ｗ／ｍ・Ｋ以上のものである請求項１〜３のいずれかに記載の熱媒体油。
【請求項５】
前記ロジンエステル類におけるロジン類の含有率が５０〜９０重量％である請求項１〜４のいずれかに記載の熱媒体油。
【発明の詳細な説明】
【技術分野】
【０００１】
本発明は、新規な熱媒体油に関し、更に詳しくは非食用植物原料であるロジン類から誘導されるエステル系熱媒体油に関する。
【背景技術】
【０００２】
工業的に広く用いられる熱媒体油として、優れた性能を有する合成系有機熱媒体油が知られており、例えばジアルキルナフタレン、水素化トリフェニル、ジアルキルビフェニル、トリアルキルビフェニル、ジベンジルトルエンなどが挙げられる。しかし、これら合成系有機熱媒体油の中には、環境中に放出された場合に安全性が懸念されるものもあり、例えばジベンジルトルエン、ジエチルビフェニルなどは化審法上の監視化学物質に指定されている。また、合成系有機熱媒体は、高い安定性を有する反面、低分解性であり、環境への残留や生体への蓄積が問題視されている。
【０００３】
このような環境配慮の観点から、安全性に優れた天然植物系の油が再注目されている。例えば、菜種油、とうもろこし油、紅花油などの植物油の誘導体（該低級アルコールエステル化物）を電気絶縁油として使用することが提案されている（特許文献１〜３を参照）が、これら植物油誘導体を熱媒体油として用いる旨の教示も示唆もなされていない。
【０００４】
ところで、植物油の多くは食用油であるため、これらを熱媒体油などの産業用途に転用することは、食糧資源の本来的使用が制限される（以下、食糧問題という）との見方もある。この考え方は、例えば、バイオ燃料における「エネルギーと食料」との競合問題と同様である。
【０００５】
このような背景から、環境配慮型であり、しかも非食用の天然物に由来する新規な熱媒体油の出現が切望されている。
【先行技術文献】
【特許文献】
【０００６】
【特許文献１】特開２０００−７２７１５号公報
【特許文献２】特開平９−２５９６３８号公報
【特許文献３】特開２０００−９０７４０号公報
【発明の概要】
【発明が解決しようとする課題】
【０００７】
本発明は、環境配慮および食糧問題の観点から、非食用天然物を用いた誘導体からなる新規な熱媒体油を提供することを目的とする。
【課題を解決するための手段】
【０００８】
本発明者は、前記従来技術の課題を解決すべく、非食用天然物であるロジン類から得られるエステル化物に着目した。すなわち、該ロジンエステル類の特性と熱媒体油への適用相関に着目して鋭意検討を重ねた結果、特定のロジンエステル類が、前記課題を解決しうることを見出し、本発明を完成するに至った。
【０００９】
すなわち本発明は、ロジン類と炭素数１〜１０の一価アルコール類からなる液状ロジンエステル類（以下、「特定ロジンエステル類」という）のうちの少なくとも１種を含有することを特徴とする熱媒体油に係る。
【発明の効果】
【００１０】
本発明により、環境配慮型であり、しかも非食用天然物を用いた誘導体であるため前記食糧問題の懸念がない、熱媒体油を提供できる。
【発明を実施するための形態】
【００１１】
特定ロジンエステル類の構成成分であるロジン類としては、例えば、ガムロジン、トール油ロジン、ウッドロジンなどの天然ロジンが挙げられる。なお、該天然ロジンは、得られる熱媒体油の色調や熱安定性を考慮すると、蒸留、再結晶等の精製処理を施して用いるのが好ましく、該精製ロジンの色調は、ガードナー色数で２以下、より好ましくは１以下とされる。また、前記ロジン類として、必要に応じて不均化ロジン、水素化ロジンなどの変性ロジン類を用いることができ、これら変性ロジン類から誘導される特定ロジンエステル類は、天然ロジンや精製ロジンから誘導される特定ロジンエステルに比べて、熱安定性、耐酸化性などに優れる。
【００１２】
特定ロジンエステル類を収得するためには、アルコール類として、炭素数１〜１０の１価アルコールを用いることが必須とされる。炭素数が１０を超えるアルコールを用いると、得られるロジンエステル類の粘度や流動性が低下する傾向にあり、また該アルコール類の分子量増加に伴って、ロジンエステル類中の植物由来成分であるロジン含有量も減少するため、本発明の目的とする熱媒体油を収得することは困難となる。前記炭素数１〜１０の一価アルコール類のうちでは、炭素数１〜４の一価アルコールが好ましく使用できる。該アルコール類としては、メタノール、エタノール、ｎ−プロパノール、イソプロパノール、ｎ−ブタノール、ｓｅｃ−ブタノール、ｔｅｒｔ−ブチルアルコールが挙げられ、これらは１種単独で、または２種以上を組み合わせて使用できる。なお、バイオマス由来のアルコール類を使用することにより、得られるロジンエステル類の植物由来成分率を更に高めることができる。
【００１３】
特定ロジンエステル類の製造法としては、格別限定されず、従来公知のエステル化方法を採用できる。前記ロジン類とアルコール類の各仕込み量については、格別限定されないが、通常は、ＯＨ基／ＣＯＯＨ基（当量比）が０．８〜１．５、好ましくは０．９〜１．３の範囲となるよう決定される。エステル化反応は、用いるアルコール類の沸点などを考慮して決定され、通常は反応温度が１５０〜３２０℃、好ましくは１５０〜３００℃、また反応時間は通常１０〜２４時間程度とされる。更に、反応時間を短縮する目的で、パラトルエンスルホン酸などの酸触媒、水酸化カルシウム、水酸化マグネシウムなどの金属の水酸化物、酸化カルシウムや酸化マグネシウムなどの金属酸化物などの触媒存在下にエステル化反応を進行させてもよい。該反応は分水管を経由して系外に生成水を除きながら進行させることができ、得られる特定ロジンエステル類の色調をより考慮すれば、不活性ガス気流下に反応させることが望ましい。該反応は、必要があれば加圧下に行ってもよく、またロジン類やアルコール類に対して非反応性の有機溶剤を存在下に反応を進めてもよい。該有機溶剤としては、例えばヘキサン、シクロヘキサン、トルエン、キシレンなどが挙げられる。なお、使用溶剤や未反応原料を留去する必要があれば、適宜に減圧下で行えばよい。
【００１４】
本発明で用いる特定ロジンエステル類としては、酸価が２．０ｍｇＫＯＨ／ｇ以下、好ましくは１．０ｍｇＫＯＨ／ｇ以下であり、４０℃における粘度が２０００ｍＰａ・ｓ以下、好ましくは５０〜１５００ｍＰａ・ｓであり、沸点が３００℃以上、好ましくは３００〜５００℃である。酸価を２．０ｍｇＫＯＨ／ｇ以下となるよう低下させることで、得られる熱媒体油が接触する金属に対する腐食性が抑制され、長期間安定的に使用できる。また上記のような粘度および沸点条件とすることで、熱媒体油としてのハンドリング性を向上させることができる。
【００１５】
熱媒体油に要求される諸物性のうち代表的なものとして、例えば引火点、熱伝導率が挙げられる。本発明で用いる特定ロジンエステル類の引火点は、通常は１５０〜２５０℃、好ましくは１７０〜２５０℃である。また、特定ロジンエステル類の熱伝導率（１５０℃での測定値）は、通常は０．１１〜０．１５Ｗ／ｍ・Ｋ、好ましくは０．１２〜０．１５Ｗ／ｍ・Ｋである。特定ロジンエステル類の引火点および熱伝導率は、いずれも、代表的な市販品である熱媒体油の該物性値と同様であり、本発明の熱媒体油の用途に好適であることが推認できる。
【００１６】
特定ロジンエステル類における植物由来成分であるロジン類の含有率は、５０〜９０重量％であることが好ましく、より好ましくは７０〜９０重量％とされる。すなわち、植物由来成分率が多く、環境負荷に貢献できる製品に付与される各国の識別表示制度に幅広く適合でき、該熱媒体油の利用幅が広がると期待しうるためである。
【００１７】
本発明の熱媒体油は特定ロジンエステル類を含有することに特徴がある。本発明の熱媒体油は、特定ロジンエステル類のみから調製されたものに限定されず、本発明の目的や効果を逸脱しない限り、必要に応じて、各種公知の合成系有機熱媒体油や植物油系熱媒体油を適宜に配合したものであってもよい。また、本発明の熱媒体油には、公知の熱媒体油に用いられる各種添加剤を格別限定なく配合でき、該添加剤として例えば、酸化防止剤、清浄分散剤、粘度指数向上剤、流動点降下剤、油性剤、耐摩耗性剤、極圧剤、腐食防止剤、金属不活性化剤、錆止め剤、消泡剤、乳化剤、抗乳化剤、殺菌剤、着色剤等が挙げられる。
【実施例】
【００１８】
得られたロジンエステル類の諸物性は、以下のようにして測定した。
酸価：ＪＩＳ  Ｋ００７０に準じて測定した。
粘度：Ｂ型粘度計（製品名「ＶＩＳＣＯ  ＢＬＯＣＫ  ＶＴＢ−２５０」、（株）トキメック製、ローターＮｏ．ＨＭ−３）を用い、４０℃で測定した。
沸点：試料１００ｍｌと沸騰石をト字管が設置された内容量２００ｍｌのフラスコに入れ、温度計の水銀球の上端がト字管の留出口の中央部にくるように設置した。ついで、マントルヒーターで加熱しながら、１分間に３〜４ｍｌの留出速度で蒸留し始めた時の温度を沸点として読み取った。
ロジン類の含有率：ロジン類の分子量を３０２、アルコール類の分子量をＸとし、下記の式により算出した。
ロジン類の含有率（％）＝〔３０２／（Ｘ＋３０２）〕×１００
引火点：ＪＩＳ  Ｋ２２６５に準じ、クリーブランド開放式引火点測定装置にて測定した。
熱伝導率：熱線法（ＪＩＳ  Ｒ２２５１−１を参照）に準じ、熱伝導率測定装置（商品名「ＡＲＣ−ＴＣ−１０００型」、アグネ社製）を用いて、１５０℃で測定した。
【００１９】
（実施例１）
中国ガムロジンのメチルエステル（荒川化学工業（株）製、試作品）の測定値（酸価、粘度、沸点、引火点、熱伝導率）、植物由来成分率の計算値を表１に示す。
【００２０】
（実施例２）
中国不均化ロジンのメチルエステル（荒川化学工業（株）製、試作品）の各測定値などを表１に示す。
【００２１】
（実施例３）
中国水素化ロジンのメチルエステル（荒川化学工業（株）製、試作品）の各測定値などを表１に示す。
【００２２】
（実施例４）
中国不均化ロジンのエチルエステル（荒川化学工業（株）製、試作品）の各測定値などを表１に示す。
【００２３】
（実施例５）
中国不均化ロジンのブチルエステル（荒川化学工業（株）製、試作品）の各測定値などを表１に示す。
【００２４】
【表１】
2015134888.tif 000002
【００２５】
表１中、参考例１はＮｅｏＳＫ-ＯＩＬ１４００、参考例２はＫＳＫ-ＯＩＬ２６０である（いずれも綜研化学（株）製の商品名）。
【００２６】
表１から明らかなように、実施例１〜５に示される特定ロジンエステル類からなる熱媒体油は、参考例１〜２の市販熱媒体油と比べて、いずれも遜色がない諸物性を有することが分かる。